(57)【要約】【課題】マルチディスプレイにおいて、構成および映像設定を簡単に行うことが可能な表示システム、表示方法、及びプログラムを提供する。【解決手段】複数の表示装置と、その配列に基づいて各々の表示を管理する管理装置とを備える表示システムであって、表示装置は、管理装置から受信した設定情報に基づいて、１つの画像を分割した部分画像を表示する表示部と、表示部を正面とした場合の側面、上面又は下面の少なくとも１つの検出面であって、配列において隣接する表示装置の側面、上面又は下面と対向され得る検出面と、少なくとも１つの検出面に設けられ、明るさを検出する明るさセンサと、検出情報を管理装置へ送信する通信部と、を備え、管理装置は、複数の表示装置各々から、検出情報を受け取る受信部と、検出情報を用いて配列を決定し、配列に基づいて、表示装置各々の設定情報を生成する制御部と、設定情報を表示装置各々へ送信する送信部と、を備える。【選択図】図１３
2017156631.tif 000002
【特許請求の範囲】
【請求項１】
複数の表示装置と、前記複数の表示装置の配列に基づいて前記表示装置各々の表示を管理する管理装置とを備える表示システムであって、
前記表示装置は、
前記管理装置から受信した設定情報に基づいて、１つの画像を分割して得られる部分画像のうち１つを表示し得る表示部と、
前記表示部を正面とした場合の側面、上面又は下面の少なくとも１つの検出面であって、前記配列において隣接する表示装置の側面、上面又は下面と対向され得る検出面と、
少なくとも１つの前記検出面に設けられ、当該検出面の周囲の明るさを検出する明るさセンサと、
前記明るさセンサの検出結果を示す検出情報を前記管理装置へ送信する通信部と、
を備え、
前記管理装置は、
前記複数の表示装置各々から、前記検出情報を受け取る受信部と、
前記検出情報を用いて前記配列を決定し、前記配列に基づいて、前記表示装置各々の前記設定情報を生成する制御部と、
前記設定情報を前記表示装置各々へ送信する送信部と、
を備えることを特徴とする表示システム。
【請求項２】
前記制御部は、
前記検出情報各々に基づいて、前記検出面各々の周囲の明るさが明るいか又は暗いかを判定し、
前記配列を構成する前記複数の表示装置の数と、前記明るいと判定された前記検出面の数又は前記暗いと判定された検出面の数と、に基づいて、前記配列を決定することを特徴とする請求項１に記載の表示システム。
【請求項３】
前記複数の表示装置各々は、前記通信部を介して、他の表示装置と直列に接続されることを特徴とする請求項２に記載の表示システム。
【請求項４】
複数の表示装置と、前記複数の表示装置の配列に基づいて前記表示装置各々の表示を管理する管理装置とを備える表示システムの表示方法であって、
前記表示装置は、前記管理装置から受信した設定情報に基づいて、１つの画像を分割して得られる部分画像のうち１つを表示し得る表示部と、前記表示部を正面とした場合の側面、上面又は下面の少なくとも１つの検出面であって、前記配列において隣接する表示装置の側面、上面又は下面と対向され得る検出面と、前記少なくとも１つの検出面に設けられ、前記検出面の周囲の明るさを検出する明るさセンサと、を備え、
前記管理装置において、
受信部が、前記複数の表示装置各々から、前記明るさセンサの検出結果を示す検出情報を受け取る受信手段、
制御部が、前記検出情報を用いて前記配列を決定し、前記配列に基づいて前記設定情報を生成する制御手段、
送信部が、前記設定情報を前記表示装置に送信する送信手段、
を有することを特徴とする表示方法。
【請求項５】
複数の表示装置と、前記複数の表示装置の配列に基づいて前記表示装置各々の表示を管理する管理装置とを備える表示システムにおいて、
前記表示装置は、前記管理装置から受信した設定情報に基づいて、１つの画像を分割して得られる部分画像のうち１つを表示し得る表示部と、前記表示部を正面とした場合の側面、上面又は下面の少なくとも１つの面であって、前記配列において隣接する表示装置の側面、上面又は下面と対向され得る検出面とを備え、前記少なくとも１つの検出面に設けられ、前記検出面の周囲の明るさを検出する明るさセンサと、を備え、
前記管理装置において、
前記複数の表示装置各々から、前記明るさセンサの検出結果を示す検出情報を受け取る第１の過程と、
前記第１の過程での検出情報を用いて前記配列を決定し、前記配列に基づいて前記設定情報を生成する第２の過程と、
前記設定情報を前記表示装置に送信する第３の過程と、
を実行させるためのプログラム。
【発明の詳細な説明】
【技術分野】
【０００１】
本発明は、表示システム、表示方法、及びプログラムに関する。
【背景技術】
【０００２】
近年、複数のＣＲＴ（Ｃａｔｈｏｄｅ  Ｒａｙ  Ｔｕｂｅ）や、バックライトを備えたＬＣＤ（Ｌｉｑｕｉｄ  Ｃｒｙｓｔａｌ  Ｄｉｓｐｌａｙ）などの自発光するディスプレイ(表示装置)を行列状に配置し、複数のディスプレイを連携して動作させるマルチディスプレイが普及している。このマルチディスプレイを利用して、大画面の画像表示を行うことや、複数の異なる画像データを一度に表示することなどが広く行われている。
【０００３】
ところで、マルチディスプレイでは、配置位置に応じた画像を各ディスプレイに表示させるために、マルチディスプレイにおいて各ディスプレイが配置された位置を識別する位置情報の設定（識別情報設定）が必要となる。この位置情報の設定は、マルチディスプレイの利用者や管理者の操作によりＯＳＤ（Ｏｎ  Ｓｃｒｅｅｎ  Ｄｉｓｐｌａｙ）を通じてディスプレイごとに個別に行われている。この位置情報の設定は、マルチディスプレイを構成するディスプレイの数が多い場合、多くの時間を費やす作業となっており、この設定を容易にすることが望まれている。
【０００４】
マルチディスプレイにおける従来の映像設定方法としては、表示装置に自身の配置位置を特定させ、配置位置に応じて画像を表示させる（特許文献１）等の方法がある。
【先行技術文献】
【特許文献】
【０００５】
【特許文献１】国際公開第２０１３／１０８３６２号
【発明の概要】
【発明が解決しようとする課題】
【０００６】
しかしながら、この従来の技術によると、マルチディスプレイにおいて、構成および映像設定方法が複雑になるという課題があった。
【０００７】
本発明は上記の点に鑑みてなされたものであり、マルチディスプレイにおいて、構成および映像設定を簡単に行うことが可能な表示システム、表示方法、及びプログラムを提供する。
【課題を解決するための手段】
【０００８】
（１）本発明は上記の課題を解決するためになされたものであり、本発明の一態様は、複数の表示装置と、前記複数の表示装置の配列に基づいて前記表示装置各々の表示を管理する管理装置とを備える表示システムであって、前記表示装置は、前記管理装置から受信した設定情報に基づいて、１つの画像を分割して得られる部分画像のうち１つを表示し得る表示部と、前記表示部を正面とした場合の側面、上面又は下面の少なくとも１つの検出面であって、前記配列において隣接する表示装置の側面、上面又は下面と対向され得る検出面と、少なくとも１つの前記検出面に設けられ、当該検出面の周囲の明るさを検出する明るさセンサと、前記明るさセンサの検出結果を示す検出情報を前記管理装置へ送信する通信部と、を備え、前記管理装置は、前記複数の表示装置各々から、前記検出情報を受け取る受信部と、前記検出情報を用いて前記配列を決定し、前記配列に基づいて、前記表示装置各々の前記設定情報を生成する制御部と、前記設定情報を前記表示装置各々へ送信する送信部と、を備えることを特徴とする表示システムである。
【０００９】
（２）また、本発明の一態様は、上記の表示システムにおいて、前記制御部は、前記検出情報各々に基づいて、前記検出面各々の周囲の明るさが明るいか又は暗いかを判定し、前記配列を構成する前記複数の表示装置の数と、前記明るいと判定された前記検出面の数又は前記暗いと判定された検出面の数と、に基づいて、前記配列を決定することを特徴とする。
【００１０】
（３）また、本発明の一態様は、上記の表示システムにおいて、前記複数の表示装置各々は、前記通信部を介して、他の表示装置と直列に接続されることを特徴とする請求項２に記載の表示システムである。
【発明の効果】
【００１１】
本発明によれば、マルチディスプレイにおいて、構成および映像設定を簡単に行うことが可能である。
【図面の簡単な説明】
【００１２】
【図１】本発明の第１の実施形態に係る表示システムの概念図である。
【図２】本実施形態に係るマルチディスプレイの表示部の一例を示す図である。
【図３】本実施形態に係る画像の一例を示す図である。
【図４】本実施形態に係る表示装置の構成を示す概略ブロック図である。
【図５】本実施形態に係る管理装置の構成を示す概略ブロック図である。
【図６】本実施形態に係る設定情報生成処理の一例を示すフローチャートである。
【図７】本実施形態に係る照度センサ部検出値の一例を示す図である。
【図８】本実施形態に係る画像設定情報の一例を示す図である。
【図９】本実施形態に係るマルチディスプレイの構成の一例を示す図である。
【図１０】本実施形態に係るマルチディスプレイの構成の一例を示す図である。
【図１１】本実施形態に係るマルチディスプレイの構成の一例を示す図である。
【図１２】本実施形態に係るマルチディスプレイの構成の一例を示す図である。
【図１３】本発明の第２の実施形態に係る表示システムの構成を示す概略ブロック図である。
【発明を実施するための形態】
【００１３】
（第１の実施形態）
＜表示システムの概要＞
以下、図面を参照しながら本発明の実施形態について詳しく説明する。
図１は、本発明の表示システムの概念図である。
表示システムＭＤＳ１は、表示装置Ｄ１、及び表示装置Ｄ２とからなる。表示装置Ｄ１は、表示画面を正面とした場合の側面（検出面ＤＳ１）に照度センサＳ１を備える。また、表示装置Ｄ２は、表示画面を正面とした場合の側面（検出面ＤＳ２）に照度センサＳ２を備える。
室内や屋外で表示システムＭＤＳ１を設置するにあたり、少なくとも室内灯或いは日光がモニタ全体へ照射することを前提とする。
検出面ＤＳ１と、検出面ＤＳ２と逆側の表示装置Ｄ２の側面が対向する形で、表示装置Ｄ１と表示装置Ｄ２は密着して配置される。この場合、照度センサＳ１に入る、検出面ＤＳ１周辺の外光は、表示装置Ｄ２の側面により遮断され、照度センサＳ１は検出面ＤＳ１周辺の外光を検出することができない。一方、照度センサＳ２のみ側面周辺の外光を、少なくとも０ルクス以上検出することができる。
【００１４】
図２は、本実施形態に係るマルチディスプレイの表示部の一例を示す図である。
マルチディスプレイＭ１は、表示装置Ｄ（１、１）、表示装置Ｄ（１、２）、表示装置Ｄ（１、３）、表示装置Ｄ（２、３）、表示装置Ｄ（２、２）、表示装置Ｄ（２、１）、表示装置Ｄ（３、１）、表示装置Ｄ（３、２）、表示装置Ｄ（３、３）の合計９台を行列状に配列して構成される。ここで、行列状とは、ｍ行ｎ列の行列であって、ｍまたはｎの少なくとも一方は２以上の値を取るような行列のように表示装置を配列することをいう。
表示装置Ｄ（１、１）、表示装置Ｄ（１、２）、表示装置Ｄ（１、３）、表示装置Ｄ（２、３）、表示装置Ｄ（２、２）、表示装置Ｄ（２、１）、表示装置Ｄ（３、１）、表示装置Ｄ（３、２）、表示装置Ｄ（３、３）は、この順で直列に接続され、互いに通信を行う。
【００１５】
表示装置Ｄ（１、１）、表示装置Ｄ（２、１）、表示装置Ｄ（３、１）は、表示装置Ｄ１に対応し、表示装置Ｄ（１、３）、表示装置Ｄ（２、３）、表示装置Ｄ（３、３）は、表示装置Ｄ２に対応する。
このとき、上記の構成により、密着する側面に備えられた照度センサＳ１は検出面ＤＳ１周辺の外光を検出することができない。したがって、マルチディスプレイＭ１の画面を正面から見たときの右側の側面に備えられた表示装置Ｄ（１、３）、表示装置Ｄ（２、３）、表示装置Ｄ（３、３）の、照度センサＳ２のみが検出面ＤＳ２周辺の外光を検出できる。
【００１６】
一方、マルチディスプレイＭ１において、表示装置Ｄ（１、１）は、管理装置としての機能をもつ（以後、表示装置Ｄ１（１、１）のことを管理装置Ｄ（１、１）と呼ぶことがある）。
管理装置Ｄ（１、１）は、マルチディスプレイＭ１を構成する表示装置の台数Ｚを検出する。また、管理装置Ｄ（１、１）は、各表示装置に備えられた照度センサのうち、照度値が０ルクスでない表示装置の台数Ｙを検出する。ここで、照度値が０ルクスでない表示装置の台数とは、マルチディスプレイＭ１における垂直方向の表示装置の台数に等しい。管理装置Ｄ(１、１)は、マルチディスプレイを構成する表示装置の台数Ｚと、マルチディスプレイ構成における垂直方向の表示装置の台数Ｙから、水平方向の表示装置の台数Ｘを算出する。これにより、管理装置Ｄ(１、１)は、マルチディスプレイＭ１のマルチディスプレイ構成情報、すなわち、マルチディスプレイ構成における水平方向と垂直方向の表示装置の台数を簡単な計算により把握することができる。
【００１７】
管理装置Ｄ(１、１)は、予め登録してある表示装置の画像設定情報の中から、マルチディスプレイ構成情報に対応する画像設定情報を、表示装置Ｄ（１、２）へと送信する。画像設定情報は、直列に接続された表示装置間の通信を通じて、表示装置Ｄ（１、３）、表示装置Ｄ（２、３）、表示装置Ｄ（２、２）、表示装置Ｄ（２、１）、表示装置Ｄ（３、１）、表示装置Ｄ（３、２）、表示装置Ｄ（３、３）へと送信される。各表示装置は、受信した画像設定情報に基づき、１つの画面を分割したときの部分を適切なズーム率で表示することができる。
このように、本実施形態における表示システムは、管理装置Ｄ(１、１)が、照度センサの検出結果を用いることで、マルチディスプレイ構成を簡単な計算で把握することができ、マルチディスプレイＭ１を構成する各表示装置の設定を容易に行うことができる。
【００１８】
図３は、本実施形態に係る画像の一例を示す図である。図２におけるマルチディスプレイＭ１に表示される画像は、画像Ｉ１を、９つの部分画像に分け、各部分画像を各辺を３倍に拡大して表示したものである。
【００１９】
＜表示装置の構成＞
図４は、本実施形態に係る表示装置の構成の一例を示す図である。
表示装置Ｄ２は、第１通信部１１、第２通信部１２、制御部１３、照度センサ部１４、記憶部１５、電波受信部１６、リモコン受信部１７、及び、表示部１８を含んで構成される。表示装置Ｄ１、表示装置Ｄ２、表示装置Ｄ３はこの順で直列に接続されている。
ここでは、表示装置Ｄ２を例にとって説明するが、表示装置Ｄ１、表示装置Ｄ３も表示装置Ｄ２と同様の構成を備える。
また、表示装置Ｄ１、表示装置Ｄ２、表示装置Ｄ３は、その他、表示装置の一般的な公知の機能を備える。
【００２０】
第１通信部１１は、通信用インターフェイスを備え、表示装置Ｄ１と通信を行う。第１通信部１１は、ＩＤ情報や照度検出結果合計情報を表示装置Ｄ１へ送信する。ＩＤ情報や照度検出結果合計情報については後述する。すなわち、複数の表示装置の配列を構成する表示装置の台数に関する情報や明るさセンサの検出結果を示す検出情報を管理装置へ送信する。
また、第１通信部１１は、マルチディスプレイの画像設定情報を表示装置Ｄ１から受信する。すなわち、１つの画像を分割して得られる部分画像のうち１つを表示するための画像設定情報を管理装置から受け取る。
【００２１】
第２通信部１２は、通信用インターフェイスを備え、表示装置Ｄ３と通信を行う。第２通信部１２は、ＩＤ情報や照度検出結果合計情報を表示装置Ｄ３から受信する。
また、第２通信部１２は、マルチディスプレイの画像設定情報を表示装置Ｄ３へ送信する。
【００２２】
制御部１３は、設定情報管理部１３１、照度センサ管理部１３２、画像出力部１３３を備える。
制御部１３は、ＩＤ情報、照度検出結果合計情報についての処理、及び、表示部１８に出力する画像の設定を行う。ここで、ＩＤ情報の処理とは、ＩＤ割り当て処理、及び、ＩＤ情報更新処理を指す。ＩＤ割り当て処理とは、管理装置Ｄ(１、１)から表示装置Ｄ１を通じて送信されてくるＩＤ情報を用いて、表示装置Ｄ２にＩＤを割り当てる処理を指す。ＩＤ情報更新処理とは、マルチディスプレイＭ１を構成する表示装置の台数の検出に使用するため、ＩＤ情報を更新する処理を指す。
【００２３】
設定情報管理部１３１は、第１通信部１１部から、ＩＤ情報を読み込む。
ここで、ＩＤ情報は０以上の整数である。設定情報管理部１３１は、第１通信部１１部からＩＤ情報を読み込む。設定情報管理部１３１は、現在のＩＤ情報の値を、表示装置Ｄ２のＩＤとして記憶部１５の設定情報１５１に記憶する。設定情報管理部１３１は、現在のＩＤ情報の値に１を加えた値を新しいＩＤ情報とし、ＩＤ情報を更新する。設定情報管理部１３１は、ＩＤ情報を第２通信部１２へと渡す。
表示装置Ｄ２が表示装置Ｄ３と接続されていない場合、設定情報管理部１３１は、上記のように、ＩＤ割り当て処理、及び、ＩＤ情報更新処理を行った後、ＩＤ情報を第１通信部１１部を通じて表示装置Ｄ１へと渡す。
設定情報管理部１３１は、第２通信部１２を通じて、表示装置Ｄ３からＩＤ情報を読み込み、第１通信部１１部を通じて、表示装置Ｄ１にＩＤ情報を渡す。ただし、第２通信部１２からＩＤ情報を読み込んだ場合、設定情報管理部１３１は、ＩＤ情報更新処理を行わない。
【００２４】
また、設定情報管理部１３１は、照度センサ管理部１３２から照度検出結果情報を読み込む。
設定情報管理部１３１は、第２通信部１２を通じて、表示装置Ｄ３から照度検出結果合計情報を読み込む。設定情報管理部１３１は、読み込んだ照度検出結果合計情報の値に、照度検出結果情報の値を加えたものを、新たな照度検出結果合計情報とし照度検出結果合計情報を更新する。設定情報管理部１３１は、照度検出結果合計情報を第１通信部１１へと渡す。
表示装置Ｄ２が表示装置Ｄ３と接続されていない場合、設定情報管理部１３１は、照度検出結果合計情報を生成し、照度検出結果合計情報の値として０を入れる。設定情報管理部１３１は、照度検出結果合計情報を、第１通信部１１部を通じて表示装置Ｄ１へと渡す。
【００２５】
一方、設定情報管理部１３１は、第１通信部１１部を通じて、表示装置Ｄ１からマルチディスプレイの画像設定情報を読み込み、記憶部１５の設定情報テーブルの設定情報１５１に記憶する。
【００２６】
照度センサ管理部１３２は、照度センサ部１４から検出された照度の情報を読み込む。照度センサ管理部１３２は、読み込んだ照度の情報から照度検出結果情報を生成し、設定情報管理部１３１に渡す。ここで、照度センサ管理部１３２は、読み込んだ照度の情報が０ルクスより大きい場合、照度検出結果情報の値として１を生成する。一方、照度センサ管理部１３２は、読み込んだ照度の情報が０ルクスに等しい場合、照度検出結果情報の値として０を生成する。
【００２７】
画像出力部１３３は、ズーム可能なフレームバッファを搭載したスケーリング機能を有し、記憶部１５の設定情報テーブルから設定情報１５１を読み込む。画像出力部１３３は、設定情報１５１からＩＤ、及び画像設定情報を読み込む。画像出力部１３３は、設定情報１５１の画像設定情報の中から読み込んだＩＤに対応する画像設定を読み込む。画像設定情報の具体例については後述する。
画像出力部１３３は、電波受信部１６から画像情報を読み込み、読み込んだ画像設定に基づき加工する。ここで、画像情報を画像設定に基づき加工するとは、画像設定に基づき、読み込んだ画像情報を分割して得られる部分画像のうち特定ものを取り出し、特定のズーム率で拡大することをいう。
画像出力部１３３は、加工した画像情報を表示部１８に送信する。
画像出力部１３３は、リモコン受信部１７から操作信号を読み込み、電波受信部１６から画像情報を読み込む際のチャネル変更や、表示部１８に出力する画像の調整を行う。
【００２８】
照度センサ部１４は、表示装置Ｄ２の検出面ＤＳ２周辺の照度を測定する。照度センサ部１４は、測定結果に基づき、照度の情報を照度センサ管理部１３２部に渡す。
【００２９】
記憶部１５は、設定情報１５１を設定情報テーブルに記憶する。ここで、設定情報１５１は、表示装置Ｄ２のＩＤ、及び、画像設定情報とからなる。画像設定情報は、ＩＤ毎の画像設定をテーブルにしたものである。画像設定は、ズーム率、及び、座標からなる。
記憶部１５は、設定情報管理部１３１からＩＤを受け取り、設定情報１５１として設定情報テーブルに記憶する。
記憶部１５は、設定情報管理部１３１から表示装置Ｄ２の画像設定情報を受け取り、設定情報１５１として設定情報テーブルに記憶する。
記憶部１５は、設定情報テーブルに記憶した設定情報１５１の中の画像設定情報の中から、表示装置Ｄ２のＩＤに対応する画像設定を画像出力部１３３に渡す。
【００３０】
電波受信部１６は、画像情報の乗った電波を受信し、画像出力部１３３へ映像信号を送る。
リモコン受信部１７は、リモコンから操作信号の乗った赤外線を受信し、画像出力部１３３へ操作信号を送信する。なお、ここでは、マルチディスプレイＭ１を操作するための手段として、リモコンによる赤外線通信を用いる例を説明するが、代わりに、ＲＳ２３２Ｃ通信、Ｅｔｈｅｒｎｅｔ（登録商標）通信、無線通信を用いてもよい。
表示部１８は、画像出力部１３３から画像情報を読み込み、画像を出力する。表示部１８は、例えば、液晶ディスプレイや有機ＥＬ（Ｅｌｅｃｔｒｏ−Ｌｕｍｉｎｅｓｃｅｎｃｅ）ディスプレイなどの表示装置を備える。
【００３１】
＜管理装置の構成＞
図５は、本実施形態に係る管理装置の構成の一例を示す図である。
図５において、管理装置の構成は、図４で示した表示装置の構成と一部を除いて共通であるため、共通する部分の説明は省略する。
管理装置Ｄ２は、図４で示した表示装置の構成に加え、接続構成情報管理部１９、及び、接続構成情報１５２を含んで構成される。
【００３２】
設定情報管理部１３１は、第２通信部１２部を用いて、表示装置Ｄ３にＩＤ情報を送る。これにより、設定情報管理部１３１は、自装置と直列に接続されている各表示装置にＩＤを割り振る。
設定情報管理部１３１は、第２通信部１２部を用いて、表示装置Ｄ３からＩＤ情報を読み込む。また、設定情報管理部１３１は、第２通信部１２部を用いて、表示装置Ｄ３から照度検出結果合計情報を読み込む。設定情報管理部１３１は、読み込んだＩＤ情報、及び、照度検出結果合計情報を、接続構成情報管理部１９に渡す。
一方、設定情報管理部１３１は、接続構成情報管理部１９から、画像設定情報を読み込む。設定情報管理部１３１は、読み込んだ画像設定情報を、第２通信部１２部を用いて、表示装置Ｄ３に送る。
【００３３】
記憶部１５は、マルチディスプレイ構成情報（マルチディスプレイ構成における水平方向の表示装置の台数Ｘと垂直方向の表示装置の台数Ｙ）に対応する画像設定情報のリスト（接続構成情報１５２）を、接続構成情報テーブルに予め記憶する。
記憶部１５は、接続構成情報管理部１９から読み込んだマルチディスプレイを構成する表示装置の台数Ｚ、及び、マルチディスプレイ構成における垂直方向の表示装置の台数Ｙを記憶する。
【００３４】
接続構成情報管理部１９は、設定情報管理部１３１から入力された、ＩＤ情報、及び、照度検出結果合計情報に基づいて、マルチディスプレイ構成情報に対応する画像設定情報を生成する。
接続構成情報管理部１９は、設定情報管理部１３１から入力されたＩＤ情報から、マルチディスプレイを構成する表示装置の台数Ｚを読み取る。接続構成情報管理部１９は、読み取ったＺの値を記憶部１５に記憶する。また、接続構成情報管理部１９は、設定情報管理部１３１から入力された照度検出結果合計情報から、マルチディスプレイ構成における垂直方向の表示装置の台数Ｙを読み取る。接続構成情報管理部１９は、読み取ったＹの値を記憶部１５に記憶する。
接続構成情報管理部１９は、記憶部１５からマルチディスプレイを構成する表示装置の台数Ｚ、及び、マルチディスプレイ構成における垂直方向の表示装置の台数Ｙを読み込む。接続構成情報管理部１９は、マルチディスプレイを構成する表示装置の台数Ｚを、マルチディスプレイ構成における垂直方向の表示装置の台数Ｙで除することで、水平方向の表示装置の台数Ｘを算出する。これにより、接続構成情報管理部１９は、マルチディスプレイ構成情報を把握する。すなわち、接続構成情報管理部１９は、複数の表示装置の配列を構成する複数の表示装置の数と、明るいと判定された表示装置の検出面の数又は暗いと判定された表示装置の検出面の数と、に基づいて、複数の表示装置の配列を決定する。
接続構成情報管理部１９は、記憶部１５の接続構成情報１５２の中から、マルチディスプレイ構成情報に対応する画像設定情報を読み込む。接続構成情報管理部１９は、読み込んだ画像設定情報を、設定情報管理部１３１に渡す。
【００３５】
図６は、本実施形態に係る画像設定情報生成処理の一例を示すフローチャートである。
本フローチャートに示す処理は、複数の表示装置Ｄ１が、マルチディスプレイＭ１を構成し、直列に接続された際に開始される。ここでは、マルチディスプレイＭ１を構成する表示装置の台数はＺ台であるとする。
【００３６】
（ステップＳ１０１）管理装置の設定情報管理部１３１は、自装置と直列に接続されている複数の表示装置にＩＤを割り振る。その後、管理装置の設定情報管理部１３１は、ステップＳ１０２へと処理を進める。
具体的には、管理装置Ｄ１は、自装置である表示装置Ｄ１にＩＤとして０を割り当てる。つまり、表示装置Ｄ１は、記憶部１５の設定情報テーブルに含まれる設定情報１５１にＩＤを記憶する。
管理装置Ｄ１は、現在のＩＤ情報の値に１を加えたものを新しいＩＤ情報とし、第２通信部１２を用いてＩＤ情報を、表示装置Ｄ２に渡す。表示装置Ｄ２は、自装置のＩＤとして１を割り当て、ＩＤ情報を２へと更新し、第２通信部１２部を用いてＩＤ情報を、表示装置Ｄ３に渡す。この処理を同様に繰り返すことで、直列に接続されている複数の表示装置の末端の表示装置は、自身のＩＤとしてＺ−１を割り当て、ＩＤ情報をＺへと更新する。
【００３７】
（ステップＳ１０２）管理装置の設定情報管理部１３１は、マルチディスプレイを構成する表示装置の台数Ｚを検出し、記憶部１５に記憶する。
直列に接続されている複数の表示装置のうち末端の表示装置は、ＩＤ情報を、第１通信部１１を用いて、自装置の接続されているＺ−１番目の表示装置へと渡す。直列に接続されている複数の表示装置において、末端の表示装置から管理装置の方向へと、同様にＩＤ情報が各表示装置により渡され、管理装置である表示装置Ｄ１にＩＤ情報が渡される。このとき、管理装置の受け取ったＩＤ情報の値はマルチディスプレイを構成する表示装置の台数Ｚに等しい。
管理装置の設定情報管理部１３１は、ＩＤ情報を接続構成情報管理部１９へと渡す。接続構成情報管理部１９は、ＩＤ情報をマルチディスプレイを構成する表示装置の台数として、記憶部１５に記憶する。その後、設定情報管理部１３１はステップＳ１０３へと処理を進める。
【００３８】
（ステップＳ１０３）管理装置の設定情報管理部１３１は、各表示装置に備えられた照度センサのうち、照度値が０ルクスでない表示装置の台数を検出し、記憶部１５に記憶する。
直列に接続されている複数の表示装置のうち末端の表示装置は、ＩＤ情報を自装置の接続されているＺ−１番目の表示装置へと渡した後、照度検出結果合計情報を自装置の接続されているＺ−１番目の表示装置へと渡す。Ｚ−１番目の表示装置は、受け取った照度検出結果合計情報の値に、自装置で得られた照度検出結果合計情報の値を加えることで、照度検出結果合計情報を更新する。
直列に接続されている複数の表示装置において、末端の表示装置から管理装置の方向へと、同様に照度検出結果合計情報が各表示装置により渡され、管理装置である表示装置Ｄ１に照度検出結果合計情報が渡される。
設定情報管理部１３１は、照度検出結果合計情報を接続構成情報管理部１９へと渡す。接続構成情報管理部１９は、照度検出結果合計情報を、照度値が０ルクスでない表示装置の台数として、記憶部１５に記憶する。
その後、設定情報管理部１３１はステップＳ１０４へと処理を進める。
【００３９】
（ステップＳ１０４）接続構成情報管理部１９は、マルチディスプレイを構成する表示装置の台数、及び、各表示装置に備えられた照度センサのうち、照度値が０ルクスでない表示装置の台数を用いて、マルチディスプレイ構成における水平方向の表示装置の台数を算出する。
その後、接続構成情報管理部１９は、ステップＳ１０５へと処理を進める。
【００４０】
（ステップＳ１０５）接続構成情報管理部１９は、記憶部１５の接続構成情報１５２の中から、マルチディスプレイ構成情報に対応する画像設定情報を読み込む。接続構成情報管理部１９は、読み込んだ画像設定情報を、設定情報管理部１３１に渡す。設定情報管理部１３１は、画像設定情報を、第２通信部１２を通じて、マルチディスプレイＭ１を構成する表示装置へと送信する。
以上で、設定情報管理部１３１は、ステップＳ１０５の処理を終了する。
【００４１】
図７は、本実施形態に係る照度センサ部検出値の一例を示す図である。
図示するように照度センサ部検出値テーブルは、ＩＤ、及び、照度センサ検出値の各項目の行を有している。照度センサ部検出値テーブルは、ＩＤ毎に照度センサ部検出値が格納される行と列からなる２次元の表形式のデータである。
マルチディスプレイＭ１を構成する複数の表示装置において、表示装置の画面を正面から見たときの右側の側面のみが外光を検出できる。そのため、右側の側面に配列される表示装置Ｄ３、表示装置Ｄ４、表示装置Ｄ９の側面に備えられた照度センサのみが、ゼロでない検出値を示している。
【００４２】
図８は、本実施形態に係る画像設定情報の一例を示す図である。
図示するように画像設定情報テーブルは、ＩＤ、ズーム率、及び、座標の各項目の行を有している。画像設定情報テーブルは、ＩＤ毎にズーム率、及び、座標が格納される行と列からなる２次元の表形式のデータである。
９つの表示装置で構成されるマルチディスプレイにおいて、１つの画像を９つの部分に分割し各々を拡大して表示させる。各部分画像には、元の１つの画像のどの部分に対応するかに応じて、座標を割り当てる。このとき、部分画像を拡大する際のズーム率、及び、各部分画像に割り当てられた座標と、マルチディスプレイを構成する各表示装置のＩＤとの関係を示したのが画像設定情報テーブルである。
【００４３】
図９は、本実施形態に係る表示部の一例を示す図である。
図示するマルチディスプレイＭ１は、９台の表示装置、表示装置Ｄ（１、１）、表示装置Ｄ（１、２）、表示装置Ｄ（１、３）、表示装置Ｄ（２、３）、表示装置Ｄ（２、２）、表示装置Ｄ（２、１）、表示装置Ｄ（３、１）、表示装置Ｄ（３、２）、表示装置Ｄ（３、３）から構成され、各表示装置同士はこの順で直列に接続され通信が可能である。
また、表示装置Ｄ（１、１）は、図１における表示装置Ｄ１に対応し、管理装置としての機能をもつ。
重なり合う側面に備えられた照度センサは側面周辺の外光が遮断される。このとき、表示装置Ｄ（１、３）、表示装置Ｄ（２、３）、表示装置Ｄ（３、３）の各々の側面に備えられた照度センサのみが外光を検出できる。すなわち、表示装置の画面を正面から見たときの右側の側面に備えられた照度センサのみが外光を検出できる。
管理装置である表示装置Ｄ（１、１）は、第２通信部１２部を用いて、表示装置Ｄ（１、２）に画像設定情報を送信する。表示装置Ｄ（１、２）は、第２通信部１２部を用いて、表示装置Ｄ（１、３）に画像設定情報を送信する。以下同様に、表示装置Ｄ（２、３）、表示装置Ｄ（２、２）、表示装置Ｄ（２、１）、表示装置Ｄ（３、１）、表示装置Ｄ（３、２）、表示装置Ｄ（３、３）の順に画像設定情報が送信される。このとき、各表示装置に送信される画像設定情報は同一である。
各表示装置は、自装置のＩＤに応じて、画像設定情報の中から図６に示したような画像設定情報テーブルに応じて、各部分画像を表示するためのズーム率と座標を、画像出力部１３３に設定し画像を表示する。このとき、マルチディスプレイＭ１には、図７で示したような画像が表示されている。
【００４４】
図１０は、本実施形態に係る表示部の一例を示す図である。
図示するマルチディスプレイＭ１は、６台の表示装置、表示装置Ｄ（１、１）、表示装置Ｄ（１、２）、表示装置Ｄ（１、３）、表示装置Ｄ（１、４）、表示装置Ｄ（１、５）、表示装置Ｄ（１、６）から構成され、各表示装置同士はこの順で直列に接続され通信が可能である。
また、表示装置Ｄ（１、１）は、図１における表示装置Ｄ１に対応し、管理装置としての機能をもつ。
このとき、表示装置Ｄ（１、６）の側面に備えられた照度センサのみが外光を検出できる。
管理装置である表示装置Ｄ（１、１）は、第２通信部１２部を用いて、表示装置Ｄ（１、２）に画像設定情報を送信する。表示装置Ｄ（１、２）は、第２通信部１２部を用いて、表示装置Ｄ（１、３）に画像設定情報を送信する。以下同様に、表示装置Ｄ（１、４）、表示装置Ｄ（１、５）、表示装置Ｄ（１、６）の順に画像設定情報が送信される。このとき、各表示装置に送信される画像設定情報は同一である。
各表示装置は、自装置のＩＤに応じて、画像設定情報の中から各部分画像を表示するためのズーム率と座標を、画像出力部１３３に設定し画像を表示する。このとき、マルチディスプレイＭ１には、図７で示したような画像の一部分が表示されている。
【００４５】
図１１は、本実施形態に係る表示部の一例を示す図である。
図示するマルチディスプレイＭ１は、６台の表示装置、表示装置Ｄ（１、１）、表示装置Ｄ（１、２）、表示装置Ｄ（２、２）、表示装置Ｄ（２、１）、表示装置Ｄ（３、１）、表示装置Ｄ（３、２）から構成され、各表示装置同士はこの順で直列に接続され通信が可能である。
また、表示装置Ｄ（１、１）は、図１における表示装置Ｄ１に対応し、管理装置としての機能をもつ。
このとき、表示装置Ｄ（１、２）、表示装置Ｄ（２、２）、表示装置Ｄ（３、２）の側面に備えられた照度センサのみが外光を検出できる。
管理装置である表示装置Ｄ（１、１）は、第２通信部１２部を用いて、表示装置Ｄ（１、２）に画像設定情報を送信する。表示装置Ｄ（１、２）は、第２通信部１２部を用いて、表示装置Ｄ（２、２）に画像設定情報を送信する。以下同様に、表示装置Ｄ（２、１）、表示装置Ｄ（３、１）、表示装置Ｄ（３、２）の順に画像設定情報が送信される。このとき、各表示装置に送信される画像設定情報は同一である。
各表示装置は、自装置のＩＤに応じて、画像設定情報の中から各部分画像を表示するためのズーム率と座標を、画像出力部１３３に設定し画像を表示する。このとき、マルチディスプレイＭ１には、図７で示したような画像の一部分が表示されている。
【００４６】
図１２は、本実施形態に係る表示部の一例を示す図である。
図示するマルチディスプレイＭ１は、６台の表示装置、表示装置Ｄ（１、１）、表示装置Ｄ（１、２）、表示装置Ｄ（１、３）、表示装置Ｄ（１、４）、表示装置Ｄ（１、５）、表示装置Ｄ（１、６）から構成され、各表示装置同士はこの順で直列に接続され通信が可能である。
また、表示装置Ｄ（１、１）は、図１における表示装置Ｄ１に対応し、管理装置としての機能をもつ。
このとき、表示装置Ｄ（１、１）、表示装置Ｄ（１、２）、表示装置Ｄ（１、３）、表示装置Ｄ（１、４）、表示装置Ｄ（１、５）、表示装置Ｄ（１、６）の側面に備えられた照度センサは外光を検出できる。
管理装置である表示装置Ｄ（１、１）は、第２通信部１２部を用いて、表示装置Ｄ（１、２）に画像設定情報を送信する。表示装置Ｄ（１、２）は、第２通信部１２部を用いて、表示装置Ｄ（１、３）に画像設定情報を送信する。以下同様に、表示装置Ｄ（１、４）、表示装置Ｄ（１、５）、表示装置Ｄ（１、６）の順に画像設定情報が送信される。このとき、各表示装置に送信される画像設定情報は同一である。
各表示装置は、自装置のＩＤに応じて、画像設定情報の中から各部分画像を表示するためのズーム率と座標を、画像出力部１３３に設定し画像を表示する。このとき、マルチディスプレイＭ１には、図７で示したような画像の一部分が表示されている。
【００４７】
以上に説明したように、本実施形態に係る表示システムは、複数の表示装置Ｄ１と表示装置Ｄ２、表示装置Ｄ３と、複数の表示装置の配列に基づいて表示装置各々の表示を管理する管理装置（表示装置Ｄ１）とを備える表示システムである。
表示装置Ｄ２は、検出面ＤＳ２、第１通信部１１、第２通信部１２、制御部１３、照度センサ部１４、記憶部１５、電波受信部１６、リモコン受信部１７、及び、表示部１８を備える。表示部１８は、管理装置から受信した画像設定情報に基づいて、１つの画像を分割して得られる部分画像のうち１つを表示する。検出面は、表示部１８を正面とした場合の側面、上面又は下面の少なくとも１つの検出面であって、複数の表示装置の配列において隣接する表示装置の側面、上面又は下面と対向され得る。照度センサ部１４は、少なくとも１つの前記検出面に設けられ、当該検出面の周囲の明るさを検出する。第１通信部１１は、照度センサ部１４の検出結果を示す検出情報を管理装置（表示装置Ｄ１）へ送信する。
管理装置（表示装置Ｄ１）は、表示装置Ｄ２の構成に加え、接続構成情報管理部１９、及び、接続構成情報１５２を備える。第２通信部１２は、複数の表示装置各々から、照度センサ部１４の検出結果を示す検出情報を受け取る。制御部１３は、照度センサ部１４の検出結果を示す検出情報を用いて複数の表示装置の配列を決定し、この配列に基づいて、表示装置各々の画像設定情報を生成する。第２通信部１２は、画像設定情報を表示装置各々へ送信する。
この構成により、本実施形態に係る表示システムは、マルチディスプレイにおいて、構成および映像設定方法の単純化が可能である。
【００４８】
（第２の実施形態）
以下、図面を参照しながら本発明の第２の実施形態について詳しく説明する。
上記第１の実施形態では、表示システムは、マルチディスプレイにおいて、管理装置Ｄ(１、１)が、各表示装置の検出面に備えられた照度センサの検出結果を用いることで、マルチディスプレイ構成を簡単な計算で把握することができ、マルチディスプレイを構成する各表示装置の設定を容易に行うことができる場合について説明をした。本実施形態では、表示システムが、管理装置が、各表示装置の検出面に備えられた照度センサの検出結果を用いマルチディスプレイ構成を把握し、設定情報を、表示装置へ送信する場合について説明をする。
【００４９】
図１３は、本実施形態に係る表示システムの構成を示す概略ブロック図である。
本実施形態に係る表示システムＳ２００は、表示装置Ｄ２１、表示装置Ｄ２２、表示装置Ｄ２３、管理装置Ｄ２４、表示装置Ｄ２５の配列から構成される。表示装置Ｄ２１、表示装置Ｄ２２、表示装置Ｄ２３、表示装置Ｄ２５は複数あってもよい。
管理装置Ｄ２４は、表示装置Ｄ２１、表示装置Ｄ２２、表示装置Ｄ２３、表示装置Ｄ２５の配列に基づいて各々の表示を管理する。また、管理装置Ｄ２４は、表示装置Ｄ２２の構成を含んでおり、表示装置としての機能を備える。
【００５０】
表示装置Ｄ２２は、照度センサ部２２１、通信部２２２、表示部２２３を含んで構成される。
表示部２２３は、管理装置Ｄ２４から受信した設定情報に基づいて、１つの画像を分割して得られる部分画像のうち１つを表示する。
表示装置Ｄ２２は、表示部２２３を正面とした場合の側面、上面又は下面の少なくとも１つの検出面であって、表示装置Ｄ２１、表示装置Ｄ２２、表示装置Ｄ２３、表示装置Ｄ２５の配列において隣接する表示装置の側面、上面又は下面と対向され得る検出面を備える。
照度センサ部２２１は、少なくとも１つの検出面に設けられ、この検出面の周囲の明るさを検出する。
通信部２２２は、照度センサ部２２１の検出結果を示す検出情報を管理装置Ｄ２４へ送信する。
【００５１】
管理装置Ｄ２４は、照度センサ部２４１、第１通信部２４２、表示部２４３、第２通信部２４４、制御部２４５を含んで構成される。
照度センサ部２４１、第１通信部２４２、表示部２４３は、各々照度センサ部２２１、通信部２２２、表示部２２３と同様の機能を備える。
第２通信部２４４は、表示装置Ｄ２５から、照度センサ部２２１の検出情報を受け取る。
制御部２４５は、第２通信部２４４で受け取った検出情報を用いて、表示システムＳ２００の構成についての配列を決定する。制御部２４５は、決定した配列に基づいて、表示装置Ｄ２１、表示装置Ｄ２２、表示装置Ｄ２５の設定情報を生成する。
第２通信部２４４は、制御部２４５の生成した設定情報を表示装置Ｄ２５に送信する。
【００５２】
以上に説明したように、本実施形態に係る表示システムは、複数の表示装置Ｄ２１と表示装置Ｄ２２、表示装置Ｄ２３、表示装置Ｄ２５と、複数の表示装置の配列に基づいて表示装置各々の表示を管理する管理装置Ｄ２４とを備える表示システムである。
この構成により、本実施形態に係る表示システムは、マルチディスプレイにおいて、構成および映像設定方法の単純化が可能である。
【００５３】
なお、上述した実施形態における表示装置Ｄ２の一部、例えば、制御部１３、及び記憶部１５と、管理装置Ｄ２の一部、例えば、制御部１３、記憶部１５、及び接続構成情報管理部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置Ｄ２又は管理装置Ｄ２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における表示装置Ｄ２及び管理装置Ｄ２の一部、または全部を、ＬＳＩ（Ｌａｒｇｅ  Ｓｃａｌｅ  Ｉｎｔｅｇｒａｔｉｏｎ）等の集積回路として実現しても良い。表示装置Ｄ２及び管理装置Ｄ２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５５】
ＭＤＳ１…表示システム、Ｄ１…表示装置、ＤＳ１…検出面、Ｓ１…照度センサ、Ｄ２…表示装置、ＤＳ２…検出面、Ｓ２…照度センサ、Ｄ３…表示装置、Ｍ１…マルチディスプレイ、Ｄ（１、１）…表示装置、Ｄ（１、２）…表示装置、Ｄ（１、３）…表示装置、Ｄ（２、３）…表示装置、Ｄ（２、２）…表示装置、Ｄ（２、１）…表示装置、Ｄ（３、１）…表示装置、Ｄ（３、２）…表示装置、Ｄ（３、３）…表示装置、Ｉ１…画像、１１…第１通信部、１２…第２通信部、１３…制御部、１３１…設定情報管理部、１３２…照度センサ管理部、１３３…画像出力部、１４…照度センサ部、１５…記憶部、１５１…設定情報、１５２…接続構成情報、１６…電波受信部、１７…リモコン受信部、１８…表示部、Ｓ２００…表示システム、Ｄ２１…表示装置、Ｄ２２…表示装置、２２１…照度センサ部、２２２…通信部、２２３…表示部、Ｄ２３…表示装置、Ｄ２４…表示装置、Ｄ２５…表示装置、２４１…照度センサ部、２４２…第１通信部、２４３…表示部、２４４…第２通信部、２４５…制御部
【図１】
2017156631.tif 000003
【図２】
2017156631.tif 000004
【図３】
2017156631.tif 000005
【図４】
2017156631.tif 000006
【図５】
2017156631.tif 000007
【図６】
2017156631.tif 000008
【図７】
2017156631.tif 000009
【図８】
2017156631.tif 000010
【図９】
2017156631.tif 000011
【図１０】
2017156631.tif 000012
【図１１】
2017156631.tif 000013
【図１２】
2017156631.tif 000014
【図１３】
2017156631.tif 000015